(57)【特許請求の範囲】
【請求項１】
座部の前方に被施療者の脛部または足先部の被施療部を載置する左右一対の凹状受部を設けると共に、該凹状受部の内側適所に空気給排装置の空気給排により膨縮する膨縮袋を設けた足載せ部を具備した椅子式マッサージ機であって、
凹状受部の内側壁部の左右に膨縮袋をそれぞれ設け、
凹状受部の内側底部に複数の膨縮袋を前後に分設し、且つ
その前側の膨縮袋を上下に分設し、
前記凹状受部の前記内側底部に設けた前側で下側の膨縮袋の設置面が後側の膨縮袋の設置面より下段になるように構成し、
前記上下に分設した膨縮袋により形成された、被施療部を挿入するための挿入口部を設け、
前記挿入口部から足先部を挿入すると共に該足先部を前記内側底部の前側に設けた上下の膨縮袋の間に位置させつつ、それら上下の膨縮袋を膨縮させて、足先部に対する重点的な挟圧マッサージを実施できることを特徴とする椅子式マッサージ機。
【請求項２】
前記凹状受部の前記内側底部に設けた前側で下側の膨縮袋の設置面は、当該前側で下側の膨縮袋の厚み分の段差で、後側の膨縮袋の設置面より下段になるように構成したことを特徴とする請求項１記載の椅子式マッサージ機。
【請求項３】
前記凹状受部の前記内側底部の前側において、幅方向を軸とする回動軸により前後に回動する板状の回動部材を設け、該回動部材を下側の膨縮袋の膨縮により回動するよう構成していることを特徴とする請求項１又は請求項２記載の椅子式マッサージ機。
【請求項４】
前記凹状受部の内側壁部の左右に設けた膨縮袋の膨張に次いで、前記内側底部に設けた膨縮袋を膨張させるよう構成したことを特徴とする請求項１乃至請求項３のいずれか記載の椅子式マッサージ機。
【請求項５】
前記凹状受部の前記内側底部に設けた前側の上下に分設した膨縮袋間に被施療部を挿入した状態での当該上下の膨縮袋の膨張に次いで、前記凹状受部の内側左右壁部に設けた膨縮袋を膨張させることにより、上下から被施療部を保持しつつ被施療部の左右側部に対する挟圧マッサージを実施することを特徴とする請求項１乃至請求項３のいずれか記載の椅子式マッサージ機。
【発明の詳細な説明】
【技術分野】
【０００１】
本発明は、座部の前方に被施療者の脛部または足先部などの被施療部を左右一対の凹状受部に載置可能な足載せ部を具備した椅子式マッサージ機に関するものであり、詳しくは該凹状受部の開口側においても、十分且つ効果的なマッサージが可能な椅子式マッサージ機を提供する事を目的とするものである。
【背景技術】
【０００２】
従来、椅子式マッサージ機において、被施療者の脛部や足先部などを載置し得る足載せ部を座部の前方に具備して、それらの部位に対して施療機構による押圧または指圧マッサージを実施するように構成したものがよく知られており、最近では、該足載せ部に脛部や足先部などを挿入載置する左右一対の凹状受部を形成すると共に、エアポンプを備えた空気給排装置による空気給排で膨縮する膨縮袋を凹状受部に内装して、該凹状受部に挿入された被施療部位をマッサージするようにしたものが開示されている。
【０００３】
例えば、図１２に示す椅子式マッサージ機は、座部１０の前方に上下に回動自在に配されて座部への着座者の下肢を保持するレッグレスト２と、レッグレスト２の先端に上下に回動自在に配されて着座者の足先部を保持するフットレスト３とを備えたものである。
【０００４】
前記レッグレスト２及び前記フットレスト３は足載せ部を構成するものであるが、着座者の下肢や足先部に対するマッサージのためのマッサージ手段を備えており、レッグレスト２で保持した下肢に対するマッサージだけでなく、フットレスト３で保持した足先部に対するマッサージも行うようにしている。
【０００５】
前記レッグレスト２は、上下方向に走る左右一対の溝部（凹状受部）２０，２０を備えたものであるとともに、前方及び上下方向に開放された両溝部２０の両側壁及び底壁に空気袋（膨縮袋）２２を位置させている。
【０００６】
また、前記フットレスト３は前後方向に走る左右一対の溝部（凹状受部）３０，３０を備えて、上方及び前後方向に開放された両溝部３０，３０の両側壁及び底壁に空気袋３２を位置させたものである。
【０００７】
これら前記空気袋２２，３２は、前記座部１０の下方に設置収納された給排気手段４に接続され、該給排気手段４は、独立している各空気袋２２，３２を個別に膨張収縮させることができるものとしている。
【０００８】
また、図１３に示す他例の椅子式マッサージ機は、座部２と背もたれ部３を備えた椅子本体１と、凹状受部を備える略Ｕ字状に形成された一対の脚載部４２ａ、４２ｂを有するとともに座部２の前方位置に上下方向に回動可能に設けられた脚載置台（足載せ部）４０と、この脚載置台４０の一対の脚載部４２ａ、４２ｂの互いに対向する側壁に配設されエアーの給排気によって膨縮する袋体（膨縮袋）４３ａ〜４４ｂと、これら袋体にエアーを供給するエアーコンプレッサー（空気給排装置）３０とを備えたものであり、各袋体４３ａ〜４４ｂにコンプレッサー３０からのエアーを給排気してマッサージを行うように構成している。
【０００９】
また、前記脚載部４２ａ、４２ｂの前部において、足部（足先部）を位置決めする位置決め部材４５を設けている。この位置決め部材４５は、脚載部４２ａ、４２ｂの上面に縫製等により取り付けられ、後側つまり前記座部２側を開口した袋状に形成されるとともに中央部にタック４５ａ、４５ａが形成されている。このタック４５ａ、４５ａによって常時つまり足先部が挿入されない場合は前記脚載部４２ａ、４２ｂの脚載面と略同一面となるように折り畳まれており、前記開口から足先部を挿入したときは、タックは伸びて足先部が楽に挿入できるようにしている。
【特許文献１】特開２００２−２３８９６３号公報（第５頁、図１）
【特許文献２】特開平０９−０７０４１９号公報（第６頁、図６）
【発明の開示】
【発明が解決しようとする課題】
【００１０】
ところで、上記従来の足載せ部を備えた椅子式マッサージ機について、まず特許文献１の構成は、足載せ部に形成した凹状受部の左右両側壁面と底面との三面にそれぞれ膨縮袋を配設して、該凹状受部に挿入載置された脛部や足先部などの被施療部を周囲三方向から押圧マッサージを実施するようにしているのであるが、この凹状受部の開口側は開放されているため、被施療部を周囲三方向から押圧マッサージを実施すると、この開口側へ被施療部が押し出されてしまい、効果的なマッサージを継続させることが困難となる。
【００１１】
この問題を緩和した構成のものとして、特許文献２は凹状受部に袋状に形成された位置決め部材を設け、この袋状の位置決め部材に足先部などの被施療部を挿入してこの被施療部周囲を保持するようになっており、この状態で凹状受部の左右両側壁面にそれぞれ内装した膨縮袋による安定した押圧マッサージの実施を可能としている。
【００１２】
しかしながら、これら従来の足載せ部に形成した凹状受部はいずれも、開口側に面する被施療部位に対しては、凹状受部の左右両側壁面に配された膨縮袋による押圧力が行き届かず、その部位を十分且つ効果的にマッサージすることができないという課題が残存している。
【００１３】
そこで、本発明は、上記問題点を解消する為に成されたものであり、足載せ部に形成した凹状受部において、その開口側に面する被施療部位に対する十分且つ効果的なマッサージが可能な椅子式マッサージ機を提供する事を目的とするものである。
【課題を解決するための手段】
【００１４】
すなわち、本発明の椅子式マッサージ機は、座部の前方に被施療者の脛部または足先部の被施療部を載置する左右一対の凹状受部を設けると共に、該凹状受部の内側適所に空気給排装置の空気給排により膨縮する膨縮袋を設けた足載せ部を具備した椅子式マッサージ機であって、凹状受部の内側壁部の左右に膨縮袋をそれぞれ設け、凹状受部の内側底部に複数の膨縮袋を前後に分設し、且つその前側の膨縮袋を上下に分設し、該上下に分設した膨縮袋の間に被施療部を挿入するための挿入口部を設けたものとしている。
【００１５】
また、本発明の椅子式マッサージ機は、前記凹状受部の前記内側底部に設けた前側の膨縮袋の設置面が後側の膨縮袋の設置面より下段になるように構成したものとしている。
【００１６】
さらに、本発明の椅子式マッサージ機は、前記凹状受部の前記内側底部に設けた前側の膨縮袋の設置面が前方へ傾斜するように構成したものとしている。
【００１７】
また、本発明の椅子式マッサージ機は、前記凹状受部の内側壁部の左右に設けた膨縮袋の膨張に次いで、前記内側底部に設けた膨縮袋を膨張させるよう構成したものとしている。
【００１８】
さらにまた、本発明の椅子式マッサージ機は、前記凹状受部の前記内側底部に設けた前側の上下に分設した膨縮袋間に被施療部を挿入した状態で実施するこれら上下の膨縮袋の膨張に次いで、前記凹状受部の内側左右壁部に設けた膨縮袋を膨張させるよう構成したものとしている。
【発明の効果】
【００１９】
よって、本発明の椅子式マッサージ機は、座部の前方に被施療者の脛部または足先部の被施療部を載置する左右一対の凹状受部を設けると共に、該凹状受部の内側適所に空気給排装置の空気給排により膨縮する膨縮袋を設けた足載せ部を具備した椅子式マッサージ機であって、凹状受部の内側壁部の左右に膨縮袋をそれぞれ設け、凹状受部の内側底部に複数の膨縮袋を前後に分設し、且つその前側の膨縮袋を上下に分設し、該上下に分設した膨縮袋の間に被施療部を挿入するための挿入口部を設けたものとしているため、凹状受部に載置する被施療部を全体的に隈無く押圧マッサージすることができ、また、特に凹状受部における開口側に面する被施療部位に対しても、十分且つ効果的なマッサージが実施できる。
【００２０】
また、本発明の椅子式マッサージ機は、前記凹状受部の前記内側底部に設けた前側の膨縮袋の設置面が後側の膨縮袋の設置面より下段になるように構成したため、上下に分設した前側の膨縮袋の一部がその段差に納まって凹状受部の内側底部面が平坦となり、その平坦面に被施療者は快適に被施療部を載置できる。
【００２１】
さらに、本発明の椅子式マッサージ機は、前記凹状受部の前記内側底部に設けた前側の膨縮袋の設置面が前方へ傾斜するように構成したため、被施療部におけるストレッチが可能となる。
【００２２】
また、本発明の椅子式マッサージ機は、前記凹状受部の内側壁部の左右に設けた膨縮袋の膨張に次いで、前記内側底部に設けた膨縮袋を膨張させるよう構成したため、左右からしっかりと被施療部を保持しつつ被施療部の裏面に対する押圧マッサージを効果的に実施できる。
【００２３】
さらにまた、本発明の椅子式マッサージ機は、前記凹状受部の前記内側底部に設けた前側の上下に分設した膨縮袋間に被施療部を挿入した状態で実施するこれら上下の膨縮袋の膨張に次いで、前記凹状受部の内側左右壁部に設けた膨縮袋を膨張させるよう構成したため、上下からしっかりと被施療部を保持しつつ被施療部の左右側部に対する挟圧マッサージを効果的に実施できる。また、内側底部における上下に分設した膨縮袋と左右に設けた膨縮袋とを順次膨縮させると、手で捏ねるようなマッサージが体感できる。
【発明を実施するための最良の形態】
【００２４】
以下に、本発明の椅子式マッサージ機を、図面に示す一実施形態に基づきこれを詳細に説明する。
図１は本発明の椅子式マッサージ機の一実施形態を示す斜視図であり、図２は本発明の椅子式マッサージ機の一実施形態を示す使用状態図であり、図３及び図４は本発明の椅子式マッサージ機に備えた足載せ部の一実施形態を示す部分断面説明図であり、図５乃至図７は本発明の椅子式マッサージ機に備えた足載せ部における膨縮袋の膨縮動作に関する一実施形態を示す部分断面説明図であり、図８は本発明の椅子式マッサージ機に備えた足載せ部の一実施形態を示す部分断面説明図であり、図９は本発明の椅子式マッサージ機に備えた足載せ部における膨縮袋の膨縮動作に関する一実施形態を示す部分断面説明図であり、図１０は本発明の椅子式マッサージ機に備えた足載せ部における回動部材を設けた一実施形態を示す部分断面説明図であり、図１１は本発明の椅子式マッサージ機に備えた足載せ部における凹状受部の一実施形態を示す説明図であり、図１２及び図１３は従来技術を示す参考図である。
【００２５】
すなわち、本発明の椅子式マッサージ機１ａは、図１及び図２に示すように座部１１ａの前方に被施療者の脛部または足先部の被施療部を載置する左右一対の凹状受部５ａを設けると共に、該凹状受部５ａの内側適所に空気給排装置４１ａの空気給排により膨縮する膨縮袋４ａを設けた足載せ部１３ａを具備したものである。
【００２６】
また、前記座部１１ａの後側において、リクライニング可能に連結する背凭れ部１２ａを設けている。
【００２７】
更に、前記座部１１ａの両側に肘掛け部１４ａを立設すると共に、前記背凭れ部１２ａの左右両側に前方に向かって突出した側壁部２ａを夫々配設している。
【００２８】
図１に示すように、前記背凭れ部１２ａには、その中央部に左右一対の施療子３１ａを備えた昇降自在の施療機構３ａを設けている。該施療機構３ａは、背凭れ部１２ａの内部左右に設けた左右一対のガイドレール３２ａに沿って背凭れ部１２ａの上端から下端にかけて昇降するようにしている。
【００２９】
前記左右一対の施療子３１ａは、モータ等を駆動源とした機械式の施療機構であり、前記背凭れ部１２ａに凭れた施療者の首部、背部、腰部、臀部等の背面全域を、たたき、揉み、ローリング、振動、指圧などの多様な形態で施療するようにしたものである。
【００３０】
また、前記椅子式マッサージ機１ａの各所定の位置には、空気の給排気により膨縮を繰り返す事が可能な膨縮袋４ａを夫々埋設している。該膨縮袋４ａは、エアーコンプレッサー及び各膨縮袋４ａに空気を分配するための分配器等からなる前記空気給排装置４１ａによる給排気により膨縮動作を行うようにしており、該空気給排装置４１ａは前記座部１１ａの下部空間に配備している。
【００３１】
前記空気給排装置４１ａによる各前記膨縮袋４ａの膨縮動作によって、施療者の所定の施療部位を押圧、指圧等を実施する事ができ、一定間隔を存して対向するよう複数の膨縮袋４ａを対設させるならば、挟圧等の施療も行う事ができる。また膨縮袋４ａを膨張状態に保つ場合は、施療者の所定の部位を一定の時間保持する事も可能としている。
【００３２】
また、前記椅子式マッサージ機１ａは、前記背凭れ部１２ａの左右側において、上部及び下部に夫々膨縮袋４ａを設けており、施療者の背中及び腰部を押圧、または左右両側から挟圧するような施療を行うよう構成している。
【００３３】
また、前記座部１１ａには、後部側に臀下部用、また腿部用の膨縮袋４ａを夫々埋設して、主に下方から上方に押圧する施療を行うようにしている。
【００３４】
前記左右の肘掛け部１４ａの上部には、必要に応じて人体の手や前腕を嵌入保持して施療するための凹部を形成する腕保持部１５ａを設ける事ができる。図１の場合、該腕保持部１５ａの内部において、上下に各膨縮袋４ａを夫々対設するよう設けて、凹部内部で人体の手や前腕に対する挟圧施療を実施するようにしている。
【００３５】
前記左右の側壁部２ａは、座部１１ａに着座した施療者の肩または上腕側方となる位置に配設しており、該左右の側壁部２ａの内側面には夫々左右方向に重合した膨縮袋４ａを並列状態に埋設している。これら重合した膨縮袋４ａ・４ａはその基端部のみを側壁部２ａの基端部に取り付けているため、膨張時には重合した膨縮袋４ａ・４ａが扇状に広がって施療者の身体側部を挟圧しつつ、身体前方まで覆うようになる。
【００３６】
よって、前記左右側壁部２ａの前記膨縮袋４ａは、膨縮動作により身体側部を施療する事ができるだけでなく、一定の時間において膨張状態を保つならば、施療者の身体が前記背凭れ部１２ａから離れないようにしっかりと保持する事ができ、施療者の身体を固定したままの状態で前記施療機構３ａの前記施療子３１ａによる背部からの施療を効果的に受ける事が可能となるのである。
【００３７】
本発明の椅子式マッサージ機は、図３、図６、図８、図１１に示すように、前記凹状受部５ａの内側壁部５１ａの左右に膨縮袋４ａ・４ａをそれぞれ設け、凹状受部５ａの内側底部５２ａに複数の膨縮袋４ａ・４ａを前後に分設し、且つその前側の膨縮袋４ａを上下に分設し、該上下に分設した膨縮袋４ａ・４ａの間に被施療部を挿入するための挿入口部５３ａを設けたものとしている。
【００３８】
また、前記凹状受部５ａの前記内側底部５２ａに設けた前側の膨縮袋４ａの設置面が、後側の膨縮袋４ａの設置面より下段になるように構成している。このため、その段差に上下に分設した前側の膨縮袋４ａ・４ａの一部が納まって（図面の場合、下側の膨縮袋４ａに要する厚み分の段差）凹状受部５ａの内側底部５２ａの面が平坦となり、図３に示すように被施療者は快適に被施療部を載置できる。
【００３９】
図５及び図９に示すように、前記凹状受部５ａに被施療者の足先部を挿入載置させた状態で前記各膨縮袋４ａを膨縮させると、足先部を隈無くマッサージできるものとしている。尚、前記内側底部５２ａに前後または上下に分設した各膨縮袋４ａは、同期或いは順次に膨張を繰り返すことができるよう構成する。
【００４０】
特に、図６に示すように前記挿入口部５３ａから足先部を挿入すると共に該足先部を前記内側底部５２ａの前側に設けた上下の膨縮袋４ａ・４ａの間に位置させつつ、それら上下の膨縮袋４ａ・４ａを膨縮させると、足先部に対する重点的な挟圧マッサージが実施できる。
【００４１】
またそれと同時に、内側底部５２ａの後側に設けた膨縮袋４ａを膨縮させると、足先部におけるストレッチ効果をもたらすことが可能となる。
【００４２】
このようなストレッチ効果をさらに高めるために、例えば図７に示すように前記内側底部５２ａの前側に設けた上下の膨縮袋４ａ・４ａのうち、上側のみの膨縮袋４ａの膨張と共に前記内側底部５２ａの後側に設けた膨縮袋４ａの膨張を同期させるとよい。すなわち、そもそも内側底部５２ａにおいて後側の膨縮袋４ａの設置面より前側の膨縮袋４ａの設置面の方を下段とし、且つ前側上下の膨縮袋４ａ・４ａのうち下側の膨縮袋４ａを収縮させた態様だけで、前記挿入口部５３ａから挿入した足先部の先端はその下段に落ち込んでストレッチ作用を生じさせるのであるが、その上さらに内側底部５２ａにおける前側に設けた上側膨縮袋４ａを膨張させて足先部の先端を下方へ押さえつけると共に、踵などの後部は後側膨縮袋４ａにより上方へ持ち上げられるため、より一層大きく効果的なストレッチを足先部全体にもたらすことになる。
【００４３】
尚、図６に示すように前記挿入口部５３ａから挿入した足先部の先端は、外部に表出するよう構成している。これにより足先部の大きさにおける個人差に対応できる。
【００４４】
さらに、前記凹状受部５ａの内側壁部５１ａの左右に設けた膨縮袋４ａ・４ａの膨張に次いで、前記内側底部５２ａに設けた膨縮袋４ａ・４ａを膨張させるように構成してもよい。この場合、左右からしっかりと足先部を保持しつつ足裏に対する押圧マッサージを効果的に実施できる。尚、内側壁部５１ａの左右に設けた膨縮袋４ａ・４ａは同期膨張でもよいし、または順次膨張でもよい。
【００４５】
加えて、前記凹状受部５ａの前記内側底部５２ａに設けた前側の上下に分設した膨縮袋４ａ・４ａ間に被施療部を挿入した状態で実施するこれら上下の膨縮袋４ａ・４ａの膨張に次いで、前記凹状受部５ａの内側壁部５１ａの左右に設けた膨縮袋４ａ・４ａを膨張させるよう構成してもよい。
【００４６】
この場合、上下からしっかりと足先部を保持しつつ足先部の左右側部に対する挟圧マッサージを効果的に実施できるし、前記内側底部５２ａにおける上下に分設した膨縮袋４ａ・４ａと前記内側壁部５１ａの左右に設けた膨縮袋４ａ・４ａとを順次膨縮させると、手で捏ねるようなマッサージが実現できる。尚、内側壁部５１ａの左右に設けた膨縮袋４ａ・４ａは同期膨張でもよいし、または順次膨張でもよい。
【００４７】
また、図４及び図１０に示すように前記凹状受部５ａの前記内側底部５２ａに設けた前側の膨縮袋４ａの設置面が前方へ傾斜するように構成することができる。
【００４８】
すなわち、前記凹状受部５ａの前記内側底部５２ａの前側において、幅方向を軸とする回動軸５４１ａにより前後に回動する板状の回動部材５４ａを設け、該回動部材５４ａを膨縮袋４ａの膨縮により回動するよう構成している。このような構成により、足先部に対する比較的大きなストレッチ効果が得られる。
【００４９】
これよりさらに同効果を高めるには、図１０に示すように前記回動部材５４ａの前方傾斜時に、前記凹状受部５ａの前記内側底部５２ａに設けた後側の膨縮袋４ａを収縮させると共に、前記内側底部５２ａに設けた前側の膨縮袋４ａ・４ａを膨張させるとよい。
【図面の簡単な説明】
【００５０】
【図１】本発明の椅子式マッサージ機における椅子型の一実施形態を示す斜視図である。
【図２】本発明の椅子式マッサージ機における椅子型の一実施形態を示す使用状態図である。
【図３】本発明の椅子式マッサージ機に備えた足載せ部の一実施形態を示す部分断面説明図である。
【図４】本発明の椅子式マッサージ機に備えた足載せ部の一実施形態を示す部分断面説明図である。
【図５】本発明の椅子式マッサージ機に備えた足載せ部における膨縮袋の膨縮動作に関する一実施形態を示す部分断面説明図である。
【図６】本発明の椅子式マッサージ機に備えた足載せ部における膨縮袋の膨縮動作に関する一実施形態を示す部分断面説明図である。
【図７】本発明の椅子式マッサージ機に備えた足載せ部における膨縮袋の膨縮動作に関する一実施形態を示す部分断面説明図である。
【図８】本発明の椅子式マッサージ機に備えた足載せ部の一実施形態を示す部分断面説明図である。
【図９】本発明の椅子式マッサージ機に備えた足載せ部における膨縮袋の膨縮動作に関する一実施形態を示す部分断面説明図である。
【図１０】本発明の椅子式マッサージ機に備えた足載せ部における回動部材を設けた一実施形態を示す部分断面説明図である。
【図１１】本発明の椅子式マッサージ機に備えた足載せ部における凹状受部の一実施形態を示す説明図である。
【図１２】従来技術を示す参考図である。
【図１３】従来技術を示す参考図である。
【符号の説明】
【００５１】
１ａ  椅子式マッサージ機
１１ａ  座部
１２ａ  背凭れ部
１３ａ  足載せ部
１３１ａ  脛施療部
１３２ａ  足先施療部
１４ａ  肘掛け部
１５ａ  腕保持部
２ａ  側壁部
３ａ  施療機構
３１ａ  施療子
３２ａ  ガイドレール
４ａ  膨縮袋
４１ａ  空気給排装置
５ａ  凹状受部
５１ａ  内側壁部
５２ａ  内側底部
５３ａ  挿入口部
５４ａ  回動部材
５４１ａ  回動軸
【図１】
0005047723.tif 000002
【図２】
0005047723.tif 000003
【図３】
0005047723.tif 000004
【図４】
0005047723.tif 000005
【図５】
0005047723.tif 000006
【図６】
0005047723.tif 000007
【図７】
0005047723.tif 000008
【図８】
0005047723.tif 000009
【図９】
0005047723.tif 000010
【図１０】
0005047723.tif 000011
【図１１】
0005047723.tif 000012
【図１２】
0005047723.tif 000013
【図１３】
0005047723.tif 000014